(57)【要約】【課題】ＩＣチップを付した著作物のコピー時に著作権使用料を自動的に徴収するシステムを作る。【解決手段】ＩＣチップを付した著作物のコピー時に、ＩＣデータを読み取る機能を有したコピー機を利用して、ＩＣチップにデータとして記録されている著作権者が指定した著作権使用料を自動徴収するシステムとする。コピー機がＩＣチップから読み取った著作権使用料とコピー機に投入された料金を照合し、投入された料金が指定された著作権使用料以上ならコピーを可能とし、投入された料金が指定された著作権使用料未満ならばコピーを不可とするシステムとする。著作物のコピーが行われた時に、指定された著作権使用料を自動徴収してデータとしてコピー機に記録し、著作物のコピーが終了した時に、コピー機に記録された著作権使用料データを電話回線を通して伝送するシステムとする。【選択図】  図１
2005228281.tif 000002
【特許請求の範囲】
【請求項１】
ＩＣチップを付した著作物のコピー時に、ＩＣデータ読み取り装置を備えたコピー機を利用して著作権使用料を自動的に徴収するシステム。本システムは以下の機能を有する。
（ア）著作物に付したＩＣチップのデータをコピー機で読み取る機能を有する。
（イ）コピー機が読み取ったＩＣチップのデータをコピー機の画面に表示する機能を有する。
（ウ）コピー機が読み取ったＩＣチップのデータで指定された著作権使用料とコピー機を稼働させるために投入された料金を照合し、コピー機を稼働させるために投入された料金がコピー機が読み取ったＩＣチップのデータで指定された著作権使用料以上ならばＩＣチップを付した著作物のコピーを可能とし、コピー機を稼働させるために投入された料金がコピー機が読み取ったＩＣチップのデータで指定された著作権使用料未満ならばＩＣチップを付した著作物のコピーを不可とし、料金の追加で増額された投入料金がコピー機が読み取ったＩＣチップのデータで指定された著作権使用料以上ならばＩＣチップを付した著作物のコピーを可能とする機能を有する。
（エ）コピー機が読み取ったＩＣチップのデータで指定された著作権使用料とコピー後の残金を照合し、コピー後の残金がコピー機が読み取ったＩＣチップのデータで指定された著作権使用料以上ならばＩＣチップを付した著作物のコピーを可能とし、コピー後の残金がコピー機が読み取ったＩＣチップのデータで指定された著作権使用料未満ならばＩＣチップを付した著作物のコピーを不可とし、料金の追加で増額された残金がコピー機が読み取ったＩＣチップのデータで指定された著作権使用料以上ならばＩＣチップを付した著作物のコピーを可能とする機能を有する。
（オ）ＩＣチップを付した著作物のコピーが行われた時にコピー機が読み取ったＩＣチップのデータで指定された著作権使用料を自動徴収してデータとしてコピー機に記録する機能を有する。
（カ）ＩＣチップを付した著作物のコピーが終了した時にコピー機に記録された著作権使用料データを電話回線を通して伝送する機能を有する。
【発明の詳細な説明】
【技術分野】
【０００１】本発明は、ＩＣチップを付した著作物のコピー時に著作権使用料を自動的に徴収するために、著作物に付したＩＣチップのデータをコピー機で読み取る機能と、コピー機が読み取ったＩＣチップのデータをコピー機の画面に表示する機能と、コピー機が読み取ったＩＣチップのデータで指定された著作権使用料とコピー機を稼働させるために投入された料金を照合し、コピー機を稼働させるために投入された料金がコピー機が読み取ったＩＣチップのデータで指定された著作権使用料以上ならばＩＣチップを付した著作物のコピーを可能とし、コピー機を稼働させるために投入された料金がコピー機が読み取ったＩＣチップのデータで指定された著作権使用料未満ならばＩＣチップを付した著作物のコピーを不可とし、料金の追加で増額された投入料金がコピー機が読み取ったＩＣチップのデータで指定された著作権使用料以上ならばＩＣチップを付した著作物のコピーを可能とする機能と、コピー機が読み取ったＩＣチップのデータで指定された著作権使用料とコピー後の残金を照合し、コピー後の残金がコピー機が読み取ったＩＣチップのデータで指定された著作権使用料以上ならばＩＣチップを付した著作物のコピーを可能とし、コピー後の残金がコピー機が読み取ったＩＣチップのデータで指定された著作権使用料未満ならばＩＣチップを付した著作物のコピーを不可とし、料金の追加で増額された残金がコピー機が読み取ったＩＣチップのデータで指定された著作権使用料以上ならばＩＣチップを付した著作物のコピーを可能とする機能と、ＩＣチップを付した著作物のコピーが行われた時にコピー機が読み取ったＩＣチップのデータで指定された著作権使用料を自動徴収してデータとしてコピー機に記録する機能と、ＩＣチップを付した著作物のコピーが終了した時にコピー機に記録された著作権使用料データを電話回線を通して伝送する機能を有するコピー機を利用して著作権使用料の自動的な徴収を実現するための著作権使用料自動徴収システムに関するものである。
【背景技術】
【０００２】著作物にＩＣチップを付す技術と著作物に付したＩＣチップのデータを読み取る技術はあるが、著作物に付したＩＣチップのデータをコピー機で読み取り、著作物に付したＩＣチップのデータで指定された著作権使用料をコピー時に自動的に徴収するシステムはまだない。
【発明の開示】
【発明が解決しようとする課題】
【０００３】著作物のコピー時に著作権使用料を自動的に徴収するシステムはまだない。だから、著作権者が著作権使用料を徴収する権利を有する著作物をコピーされる時に著作権使用料を徴収しようとするなら、著作権者が依頼した著作権使用料徴収者を１台１台のコピー機に付けて著作物をコピーした者から直接著作権使用料を徴収しなければならない。しかし、著作権者は全国で使用されているコピー機１台１台に著作権使用料徴収者を付けることはできない。そのため、著作権者は、著作権使用料を徴収する権利を有する著作物のコピーが勝手に行われ著作権者の権利が侵害されている現状を黙認するしかない。著作物のコピー時に著作権使用料を自動的に徴収するシステムを構築することは、著作権の保護を推進するための大きな課題の一つである。本発明は、この課題を解決するためになされたものである。
【課題を解決するための手段】
【０００４】上記目的を達成する本発明は、次の通りである。
本発明は、ＩＣチップを付した著作物のコピー時に著作権使用料を自動的に徴収するために、著作物に付したＩＣチップのデータをコピー機で読み取る機能と、コピー機が読み取ったＩＣチップのデータをコピー機の画面に表示する機能と、コピー機が読み取ったＩＣチップのデータで指定された著作権使用料とコピー機を稼働させるために投入された料金を照合し、コピー機を稼働させるために投入された料金がコピー機が読み取ったＩＣチップのデータで指定された著作権使用料以上ならばＩＣチップを付した著作物のコピーを可能とし、コピー機を稼働させるために投入された料金がコピー機が読み取ったＩＣチップのデータで指定された著作権使用料未満ならばＩＣチップを付した著作物のコピーを不可とし、料金の追加で増額された投入料金がコピー機が読み取ったＩＣチップのデータで指定された著作権使用料以上ならばＩＣチップを付した著作物のコピーを可能とする機能と、コピー機が読み取ったＩＣチップのデータで指定された著作権使用料とコピー後の残金を照合し、コピー後の残金がコピー機が読み取ったＩＣチップのデータで指定された著作権使用料以上ならばＩＣチップを付した著作物のコピーを可能とし、コピー後の残金がコピー機が読み取ったＩＣチップのデータで指定された著作権使用料未満ならばＩＣチップを付した著作物のコピーを不可とし、料金の追加で増額された残金がコピー機が読み取ったＩＣチップのデータで指定された著作権使用料以上ならばＩＣチップを付した著作物のコピーを可能とする機能と、ＩＣチップを付した著作物のコピーが行われた時にコピー機が読み取ったＩＣチップのデータで指定された著作権使用料を自動徴収してデータとしてコピー機に記録する機能と、ＩＣチップを付した著作物のコピーが終了した時にコピー機に記録された著作権使用料データを電話回線を通して伝送する機能とを有するコピー機を利用して著作権使用料の自動的な徴収を実現するための著作権使用料自動徴収システムである。
【発明の効果】
【０００５】著作権者が著作権使用料を徴収する権利を有する著作物のコピーが、著作権者の許可を得ることなく勝手に行われている。著作権者の許可を得ない著作物の勝手なコピーによって著作権者の権利が侵害されている。その傾向は、出版物において著しい。
例えば、Ｂ５版２００頁で定価４０００円の書籍があるとする。Ｂ４版コピーでＢ５版見開き２頁をコピーできるので、Ｂ４版のコピー１００回でＢ５版２００頁のコピーができることになる。現在では、図書館や商店など多くの場所ではＢ４版の白黒コピーは１枚１０円でできる。１００回だと１０００円である。４０００円の書籍が１０００円の代金でコピーできることになる。定価より安い料金で書籍の内容をほぼすべてコピーすることができるならば、定価で書籍を購入するより、本を借りてコピーすることを選択する人も出てくるだろう。
著作権者が著作権使用料を徴収する権利を有する著作物の著作権者の許可を得ない勝手なコピーが、著作権者の権利を侵害し、著作物の販売を妨げて出版社や著作者の収入増加を阻害し、経済活動や文化活動の発展を妨げている。コピー時の著作権使用料自動徴収の実現は、侵害されていた著作権者の権利を保護し、出版活動や著作活動のより一層の発展を手助けすることになる。
また、著作権使用料は著作物に付したＩＣチップのデータとして記録されるので、著作権者が１つ１つの著作物の価値やコピーへの許容度を考慮して１つ１つの著作物の著作権使用料を自由に設定できるという利点もある。
【発明を実施するための最良の形態】
【０００６】ＩＣチップを付した著作物のコピー時に、コピー機が読み取ったＩＣチップのデータで指定された著作権使用料とコピー機を稼働させるために投入された料金を照合し、投入された料金が指定された著作権使用料以上ならコピーを可能とし、投入された料金が指定された著作権使用料未満ならばコピーを不可とし、ＩＣチップを付した著作物のコピーが終了した後に徴収した著作権使用料データを電話回線を使って著作権使用料管理者に伝送する。以下に、本発明に関わる著作権使用料自動徴収システムの望ましい実施例について、図面を参照して説明する。
【実施例１】
【０００７】図１ａ  料金を投入してコピー機を稼働させ、ＩＣチップを付した著作物をコピー機に載せる。
図１ｂ  著作権使用料を含めたコピー１枚のコピー料金を画面に表示する。
図１ｃ  コピー料金を了承しない場合は、投入料金を返金する。
図１ｄ  コピー料金を了承したら投入料金を確認する。
図１ｅ  投入料金がコピー料金を充足していればコピーを可とする。
図１ｆ  コピー料金を了承して投入料金が不足していた場合で、投入料金が追加された場合はコピーを可とする。
図１ｇ  コピー料金を了承して投入料金が不足していた場合で、投入料金が追加されない場合はコピーを不可とし、投入料金を返金する。
図１ｈ  コピーしたら、著作権使用料を含めたコピー料金を自動徴収し、残金を確認する。
図１ｉ  残金がコピー料金を充足していればコピーを可とする。
図１ｊ  残金が不足していた場合で、投入料金が追加された場合はコピーを可とする。
図１ｋ  残金が不足していた場合で、投入料金が追加されない場合はコピーを不可とし、残金を返金する。
図１ｌ  コピーしたら、著作権使用料を含めた料金を自動徴収し、残金を確認する。
図１ｍ  コピーが終了したら残金を返金する。
図１ｎ  コピーが終了したら、電話回線を通して著作権使用料を著作権使用料管理者に伝送する。
図１ｏ  著作権使用料管理者は、コピー機設置者に著作権使用料を請求する。
図１ｐ  著作権使用料管理者は、著作権使用料が入金されたら著作権者へ著作権使用料を支払う。
【図面の簡単な説明】
【０００８】
【図１】コピー時の著作権使用料自動徴収の流れを示した図である。
【図１】
2005228281.tif 000003